(57)【要約】【課題】分離力に対する強度を向上させた耐流体スライドファスナー用スライダーを提供すること。【解決手段】耐流体スライドファスナー用スライダー２０は、案内柱２３によって連結された上翼部２１と下翼部２２を有している。スライドファスナーの噛合エレメントと密封リップ部を上翼部２１と下翼部２２に設けられた側部フランジ２７，２８と連結係合してガイドすべく上翼部２１と下翼部２２と協力するため、案内柱２３には、ガイドプレート２４が形成されている。当該スライダーは、例えば、鋳造又は成型によって一体的に形成されている。成型を容易にするために、ガイドプレート２４は、その前端部において肉厚であり、テーパー状の縁部を設け、その後端部においてウエブ２９によって上翼部２１に連結されても良い。【選択図】図４
2008073535.tif 000002
【特許請求の範囲】
【請求項１】
耐流体スライドファスナー用スライダーであって、案内柱（２３）によって連結された上翼部（２１）と下翼部（２２）と、スライドファスナーの噛合エレメント（１０）及び密封リップ部（１１）をガイドするべく前記上翼部（２１）及び下翼部（２２）と協働するために形成されたガイドプレート（２４）とを備えるとともに、一体的に形成されていることを特徴とする耐流体スライドファスナー用スライダー。
【請求項２】
前記スライダー（２０）は、金属を鋳造することによって作られることを特徴とする請求項１に記載された耐流体スライドファスナー用スライダー。
【請求項３】
前記スライダー（２０）は、プラスチック材料を成型することによって作られることを特徴とする請求項１に記載された耐流体スライドファスナー用スライダー。
【請求項４】
前記ガイドプレート（２４）の前部（３２）は、後部（３０）に対して肉厚部分になっていることを特徴とする請求項１乃至３のいずれか１項に記載された耐流体スライドファスナー用スライダー。
【請求項５】
前記肉厚部分は、ガイドプレート（２４）の前縁部から案内柱（２３）の後縁部近傍の位置まで延びていることを特徴とする請求項４に記載された耐流体スライドファスナー用スライダー。
【請求項６】
前記肉厚部分の外周縁部は面取りされていることを特徴とする請求項４又は５に記載された耐流体スライドファスナー用スライダー。
【請求項７】
前記面取り部分は、上翼部（２１）に面していることを特徴とする請求項６に記載された耐流体スライドファスナー用スライダー。
【請求項８】
前記ガイドプレート（２４）の下側と案内柱（２３）との間にコーナー部材（４０）が設けられていることを特徴とする請求項１乃至７のいずれか１項に記載された耐流体スライドファスナー用スライダー。
【請求項９】
前記コーナー部材（４０）は、案内柱（２３）の後縁部（３９）から延びていることを特徴とする請求項８に記載された耐流体スライドファスナー用スライダー。
【請求項１０】
前記ガイドプレート（２４）の後部（３０）は、案内柱（２３）の後端部（２６）から延びているウエブ（２９）によって上翼部（２１）に連結されていることを特徴とする請求項１乃至９のいずれか１項に記載された耐流体スライドファスナー用スライダー。
【請求項１１】
前記ウエブ（２９）の厚みは、下翼部２２に平行な面において、ガイドプレート（２４）の後縁部（３１）の方向にテーパー状に形成されたことを特徴とする請求項１０に記載された耐流体スライドファスナー用スライダー。
【請求項１２】
前記ウエブ（２９）は、ガイドプレート（２４）の後縁部（３１）まで延びていることを特徴とする請求項１０または１１に記載された耐流体スライドファスナー用スライダー。
【請求項１３】
前記ガイドプレート（２４）の後部（３０）は、下翼部２２に垂直の面において、案内柱（２３）から離れてガイドプレート（２４）の後縁部（３１）に向かう方向にテーパー状に形成されたことを特徴とする請求項１乃至９のいずれか１項に記載された耐流体スライドファスナー用スライダー。
【請求項１４】
前記ガイドプレート（２４）の後部（３０）は、鼻部（３０ａ）で終わっていることを特徴とする請求項１３に記載された耐流体スライドファスナー用スライダー。
【請求項１５】
前記上翼部（２１）の後部は、下方に突出しているガイドフランジ２７を有しており、前記ガイドフランジ２７の内側面は、少なくともスライダー（２０）の後端部（２６）において、上翼部（２１）に対して９０度で形成されており、上面の方向にテーパー状に形成された口部（３５）を設けていることを特徴とする請求項１乃至１４のいずれか１項に記載された耐流体スライドファスナー用スライダー。
【発明の詳細な説明】
【技術分野】
【０００１】  本発明は、ＥＰ−Ａ−１０５７４２３及びＥＰ−Ａ−１１７５８４２に記載されたタイプの耐流体性ファスナー用のスライダーに関するものである。
【背景技術】
【０００２】  このようなファスナーのテープの一方の面における縁部の近傍にはコイル状の連続噛合エレメントが縫着されている。テープの他方の面は耐流体性層がコーティングされており、耐流体性層は、テープの縁部を越えて突出し、密封リップ部を形成している。隣接するテープの噛合エレメントが係合する際に、耐流体性層の密封リップ部は、互いに当接してシール構造を形成する。このようなファスナーは、耐流体性層の密封リップ部の具体的な構造とか、密封リップ部が噛合エレメントによって接合される度合いとか、使用時におけるファスナーの柔軟性の程度などの色々な要因には拠るが、液体及び気体に対する良好な密封性を提供することが出来るのである。【０００３】  ＥＰ−Ａ−１０５７４２３及びＥＰ−Ａ−１１７５８４２に示されているスライダーは、スライダーの上翼部と下翼部とを連結する楔状部分から突出する肉薄のブレード状のガイドプレート又はガイドフランジを備えている。このガイドプレートは、噛合エレメントの外端と密封リップとの間に延びている。従って、ガイドプレートは、スライダー内に上側と下側の軌道を形成し、噛合エレメントが連結されるにつれて噛合エレメントを正確に一直線上にするよう働くとともに、密封リップを一直線上に保ちながらより大きな圧力が密封リップにかかることが出来るようにしている。【０００４】  更に、図１と図２に従って先行技術について説明する。これらの図面は、先行技術であるスライダー１の側面図と平面図を示している。スライダー１は、上翼部と下翼部２，３を有しており、引手（図示せず）を取り付けるために上翼部２の上に引手取付部４が形成されている。上翼部と下翼部２，３からは上側案内柱半体と下側案内柱半体５，６とが延びており、これらの間にガイドプレート７を挟持している。図３に示されているように、上翼部と下翼部２，３の後端部において、上翼部と下翼部２，３の左右側縁部に沿って側部フランジ８，９がスライダー１の前後方向に延びており、スライダー１が前方へ移動した時に、噛合エレメント１０を係合させるように働くと共に、ファスナーの密封リップ部１１を当接させるように働く。【０００５】  更に、図３に示されているように、耐流体性スライドファスナーは、夫々のテープ１２の一方の面、即ち下面１３の外側縁部１４の近傍にコイル状噛合エレメント１０を取り付けたテープ１２から成っている。そして、テープの他方の面即ち上面１６には、ゴム、エラストマー又は熱可塑性樹脂材料のような材料で作られた耐流体性コーティング１５が設けられている。当該コーティング１５は密封リップ部１１と一体に形成されており、ファスナーエレメント１０が連結されるにつれて、ガイドプレート７と上翼部２によって当接密封位置にガイドされる。テープ１２の下面には、補強テープ１７が設けられている。
【特許文献１】ＥＰ−Ａ−１０５７４２３公報
【特許文献２】ＥＰ−Ａ−１１７５８４２公報
【発明の開示】
【発明が解決しようとする課題】
【０００６】  しかし、実用に際しては、ＥＰ−Ａ−１０５７４２３及びＥＰ−Ａ−１１７５８４２に示されているスライダーは、３つの部分から形成される。即ち、ガイドプレートは別個に形成され、上翼部、下翼部及び案内柱の間にサンドイッチ状に組み立てられるのである。これによって、製造コストは、著しく高くなっていた。更に、先行技術のスライダー構造に伴う困難性は、案内柱からかなりの距離延びている、即ち、支持されていない比較的肉薄のガイドプレートを使用したことである。このような肉薄のガイドプレートは、スライダーの中の一体部品として確実に成型することは出来なかったのである。【０００７】  本発明は、上記に鑑み提案されたもので、上翼部、下翼部及び案内柱を一体的に形成し、ファスナーに沿ってスライダーを引っ張るにつれて上翼部と下翼部に作用する分離力に対する強度を向上させた耐流体スライドファスナー用スライダーを提供することを目的とする。また、これによって、製造コストの低減を図ることができる。
【課題を解決するための手段】
【０００８】  上記目的を達成する為に、本発明の耐流体スライドファスナー用スライダーは、案内柱２３によって連結された上翼部２１と下翼部２２と、スライドファスナーの噛合エレメント１０及び密封リップ部１１をガイドするべく前記上翼部２１及び下翼部２２と協働するために形成されたガイドプレート２４とを備えるとともに、一体的に形成されていることを特徴とする。【０００９】  また、本発明において、前記スライダー２０は、金属を鋳造することによって作られることを特徴とする。【００１０】  また、本発明において、前記スライダー２０は、プラスチック材料を成型することによって作られることを特徴とする。【００１１】  また、本発明において、前記ガイドプレート２４の前部３２は、後部３０に対して肉厚部分になっていることを特徴とする。【００１２】  また、本発明において、ガイドプレート２４の下側は、平坦であってもよく、下翼部３との間に、噛合エレメント１０をガイドするためのガイドチャネルを形成しており、後端部の下側は、案内柱２３と接する部分において肉厚にすることを特徴とする。【００１３】  また、本発明において、前記肉厚部分は、ガイドプレート２４の前縁部から案内柱２３の後縁部近傍の位置まで延びていることを特徴とする。【００１４】  また、本発明において、前記肉厚部分の外周縁部は面取りされていることを特徴とする。【００１５】  また、本発明において、前記肉厚部分の外周縁部は面取りされていることを特徴とする。【００１６】  また、本発明において、前記面取り部分は、上翼部２１に面していることを特徴とする。【００１７】  また、本発明において、前記ガイドプレート２４の下側と案内柱２３との間にコーナー部材４０が設けられていることを特徴とする。【００１８】  また、本発明において、前記コーナー部材４０は、案内柱２３の後縁部３９から延びていることを特徴とする。【００１９】  また、本発明において、前記ガイドプレート２４の後部３０は、案内柱２３の後端部２６から延びているウエブ２９によって上翼部２１に連結されていることを特徴とする。【００２０】  また、本発明において、前記ウエブ２９の厚みは、下翼部２２に平行な面において、ガイドプレート２４の後縁部３１の方向にテーパー状に形成されたことを特徴とする。【００２１】  また、本発明において、前記ウエブ２９は、ガイドプレート２４の後縁部３１まで延びていることを特徴とする。【００２２】  また、本発明において、前記ガイドプレート２４の後部３０は、下翼部２２に垂直の面において、案内柱２３から離れてガイドプレート２４の後縁部３１に向かう方向にテーパー状に形成されたことを特徴とする。【００２３】  また、本発明において、前記ガイドプレート２４の後部３０は、鼻部３０ａで終わっていることを特徴とする。【００２４】  また、本発明において、前記上翼部２１の後部は、下方に突出しているガイドフランジ２７を有しており、前記ガイドフランジ２７の内側面は、少なくともスライダー２０の後端部２６において、上翼部２１に対して９０度で形成されており、上面の方向にテーパー状に形成された口部３５を設けていることを特徴とする。また、別の実施例においては、ガイドフランジは��上翼部の近傍でその上側部分において幅狭になっているガイドチャネルを形成するために、その断面が楔状であってもよい。
【発明の効果】
【００２５】  本発明上記した構成からなるので、以下に説明するような効果を奏することができる。【００２６】  本発明の耐流体スライドファスナー用スライダーは、スライダーを一体的に形成することによって、スライダーの強度は増大する。特に、密封リップを接合するためにファスナーに沿ってスライダーを引っ張るにつれて上翼部と下翼部に分離力がかかる上翼部と下翼部との間の領域において強度は増大する。又、これによって、製造コストを節減することができ、製品の品質の改良にもつながる。なぜならば、組立作業において生ずるかもしれない部品間の位置づけミスその他の作業ミスを避けることが出来るからである。【００２７】  本発明の他の特徴及び好ましい構成は、発明の詳細な説明の欄の記載及びここに添付された図面を見れば明確に理解される。
【発明を実施するための最良の形態】
【００２８】  本発明を、以下に列記した添付図面を参照して詳細に説明する。図４は、本発明の第１実施例によるスライダーの側面図、図５は、図４のスライダーの後端面図である。これらの図面は、上に記載されたタイプの耐流体性スライドファスナーに使用する本発明のスライダー２０を示している。当該スライダー２０は、上下平行に配置された上翼部２１と下翼部２２と、上翼部２１と下翼部２２とを連結する案内柱２３とを備えている。更に、上翼部２１及び下翼部２２との間には、各翼部２１，２２との間に間隔を空けてガイドプレート２４が配置され、このガイドプレート２４は案内柱２３と連結している。図４に示されているように、ガイドプレート２４が、案内柱２３からスライダー２０の前端部２５及び後端部２６方向に延びている。そして、図５に示されているように、ガイドプレート２４は、案内柱２３の左右両側に向けて延びている。上翼部２１、下翼部２２、案内柱２３及びガイドプレート２４は一体的に形成されている、即ち、一体物として形成されている。これらの部分は、例えば鋳造（ダイカスト）によって金属から形成されても良いし、成型によって合成樹脂（プラスチック）から形成されても良い。【００２９】  上翼部２１の上面３８には、引手（図示せず）を取り付けるための引手取付部３７も一体的に形成されている。引手取付部３７は、上翼部２１の上面３８から起立する門形状の柱であって、スライダー１の前端部２５側に配された前脚部３７ａと後端部２６側に配された後脚部３７ｂと、各脚部３７ａ，３７ｂの上端を連結する架橋部３７ｃとを有する。当該技術分野で周知であるように、引手を取り付けるためには他の構造を使用しても良い。【００３０】  上翼部２１と下翼部２２は、図７に示されているように、平面視で概ね同一の外形をしており、後端部２６の方向にテーパー状に形成されている即ち先細りとなっている。夫々上翼部２１と下翼部２２の左右側縁部におけるこのテーパー部分に亘って上側フランジ２７及び下側フランジ２８が設けられている。上側フランジ２７は、上翼部２１から下翼部２２へ向けて突出し、上翼部２１に対して９０度の交差角度で形成されている。また、下側フランジ２８は、下翼部２２から上翼部２１へ向けて突出し、下翼部２２に対して９０度の交差角度で形成されている。下側フランジ２８は、当該技術分野において周知であるように、スライダー２０が前方へ向けて移動した時に、ファスナーの噛合エレメント１０を接近させ、係合させる働きをする。他方、上側フランジ２７は、スライダー２０が前方へ向けて移動した時に、密封リップ１１を接近させ、当接させる働きをする。噛合エレメント１０が係合されるにつれて密封リップ１１は互いに引き寄せられるけれども、上側フランジ２７は、噛合エレメント１０における及びテープ１２に対する噛合エレメント１０の連結におけるテンションを減少させ、密封リップ１１を絶えず均一の方向にするように働く。【００３１】  ガイドプレート２４が本発明に顕著な特徴なのである。上翼部２１、下翼部２２、案内柱２３及びガイドプレート２４を一体物として形成したことによって、スライダー２０の強度を増すことが出来る。更に、ガイドプレート２４の厚みを増す���とによって、又、上側プレート２１と共同する領域を増やすことによって更に強度を増すことが出来る。【００３２】  図１０に最も良く示されているように、案内柱２３は、概ね矩形断面をしており、先細り端部２３ａを備えており、当該先細り端部２３ａは案内柱２３の後縁部３９で終了している。【００３３】  図５と図６について述べるが、ウエブ２９がガイドプレート２４の後部３０を上翼部２１に連結している。当該ウエブ２９の厚みは、案内柱２３からガイドプレート２４の後縁部３１まで先細りになっており、密封リップが接合されるにつれて密封リップのために円滑な軌道を提供するようになっている。【００３４】  図示されている実施例においては、ウエブ２９は、案内柱２３からガイドプレート２４の後縁部３１まで延びている。しかし、ウエブ２９は、後縁部３１まで達せずに終了していても良い。【００３５】  ガイドプレート２４は、案内柱２３からスライダー２０の前端部２５側へ向けて延びる前部３２と、案内柱２３からスライダー２０の後端部２６側へ向けて延びる後部３０と、案内柱２３からスライダー２０の左右側方へ向けて延びる側部３３とを有する。【００３６】  ガイドプレート２４の前部３２と側部３３は、肉厚になっており、およそ案内柱２３の後縁部３９からスライダー２０の前端部２５側へ向けて延びている領域に亘って後部３０よりも肉厚なのである。前部３２と側部３３の外周縁部は、厚みにおいて先細りになっており、面取り３４がなされている。この面取り３４は、ガイドプレート２４の上面に形成されており、上翼部２１と対面して配置されている。ガイドプレート２４の後部３０の下側であって、案内柱２３の後縁部３９と接する部分には、案内柱２３の後縁部３９からガイドプレート２４の後縁部３１側へ向けて延び、厚みが漸次減少するコーナー部材（ＦＩＬＬＥＴ）３５が設けられている。【００３７】  図８乃至図１０は、本発明の第２実施例を示している。当該実施例は、図４乃至図７に示された第１実施例と類似しており、類似している部分は同一の参照符号で示す。第２実施例においては、第１実施例のウエブ２９が省略されている。しかし、ガイドプレート２４は、前部３２の厚みが、案内柱２３の後縁部３９を越えてなお後方に続き、前部３２よりも肉厚の薄いガイドプレート２４の後縁部３１’に向けて厚みを漸次減少させながらテーパー状に形成されている。これによって、ガイドプレート２４の後部３０に、ガイドプレート２４の後縁部３１’に向けて下り傾斜した後面３６を形成する。この後面３６の左右両側辺に、前部３２と側部３３に設けた面取り部３４が連結されている。また、ガイドプレート２４の後部３０には、後面３６よりもスライダー２０の後端部２６側に向けて延びる棒状の鼻部３０ａを形成されている。【００３８】  第２実施例においては、上側フランジ２７と上翼部２１との間のコーナーにコーナー部材（ＦＩＬＬＥＴ）４０が設けられている。これによって、スライダーの後端部２６には、ファスナーのコーティング層１５の面（側部フランジ２７の底縁部）から上翼部２３方向に向けて内方にテーパー状に形成されている出口３５が形成されるのである。コーナー部材４０は、スライドファスナーの密封リ��プ１１をガイドするように働き、密封リップ１１の上面を合わせるような形状であればよい。【００３９】  図１０には、下翼部２２の上面４２に設けられた肉薄の台部４１が示されている。前記肉薄台部４１は、当該技術分野において周知であるように、コイル形状の噛合エレメント１０が係合する時の姿勢を適切な方向に向ける働きをする。【００４０】  図１１と図１２は、本発明の第３実施例の変形例を示している。当該実施例は、図８乃至図１０に示された第２実施例と類似しており、類似している部分は同一の参照符号で示す。第３実施例においては、ガイドプレート２４の後部３０に形成した後面３６がガイドプレート２４の後縁部３１’にまで達している。また、後部３０の左右幅寸法が、スライダー２０の後端部２６側へ向けて漸次狭くなり、全体が楔形状を呈している。これによって、スライダー１の移動時における密封リップ１１の円滑な軌道を確保することができ、密封リップ１１とガイドプレート２４との摺接による摩擦抵抗を軽減できる。【００４１】  以上の発明の詳細な説明の欄には色々な具体例が記載されているけれども、これらの具体例は、本発明の範囲を限定するように解釈すべきではなく、本発明の好ましい実施例を単にいくつか提供していると解釈すべきである。
従って、本発明の技術的範囲は、ここに記載された実施例によって判断するのではなく、むしろ、添付の特許請求の範囲及びその均等物によって判断すべきである。
【図面の簡単な説明】
【００４２】
【図１】図１は、先行技術であるスライダーの側面図である。
【図２】図２は、図１のスライダーの平面図である。
【図３】図３は、スライドファスナーに取り付けられた図１及び図２のスライダーの端面図である。
【図４】図４は、本発明の第１実施例によるスライダーの側面図である。
【図５】図５は、図４のスライダーの後端面図である。
【図６】図６は、図４のスライダーの縦断面図である。
【図７】図７は、図４のスライダーの平面図である。
【図８】図８は、本発明の第２実施例によるスライダーの後端面図である。
【図９】図９は、図８の実施例の縦断面図である。
【図１０】図１０は、図８の実施例の斜視図であって、上翼部が切欠かれた状態を示している。
【図１１】図１１は、本発明の第３実施例によるスライダーの縦断面図である。
【図１２】図１２は、図１１の実施例におけるＡ−Ａ線断面図である。
【符号の説明】
【００４３】２０      耐流体スライドファスナー用スライダー（スライダー）
２１      上翼部
２２      下翼部
２３      案内柱
２４      ガイドプレート
２５      前端部
２６      後端部
２７      上側フランジ
２８      下側フランジ
２９      ウエブ
３０      後部
３１      後縁部
３２      前部
３３      側部
３４      面取り
３５      コーナー部材（ＦＩＬＬＥＴ）
３６      後面
３７      引手取付部
３８      上面
３９      後縁部
４１      台部
４２      上面
【図１】
2008073535.tif 000003
【図２】
2008073535.tif 000004
【図３】
2008073535.tif 000005
【図４】
2008073535.tif 000006
【図５】
2008073535.tif 000007
【図６】
2008073535.tif 000008
【図７】
2008073535.tif 000009
【図８】
2008073535.tif 000010
【図９】
2008073535.tif 000011
【図１０】
2008073535.tif 000012
【図１１】
2008073535.tif 000013
【図１２】
2008073535.tif 000014